(57)【要約】【課題】  ハンチングの発生を防止し、安定した台数制御を行う。【解決手段】  並列に設置しておりそれぞれに燃焼の優先順位を設定している複数台のボイラ１、前記複数台のボイラ１で発生した蒸気を集合させている蒸気集合部４における蒸気圧力値を検出する圧力検出装置６、検出した蒸気圧力値に基づいて各ボイラの燃焼を制御する台数制御装置３を備えているボイラの多缶設置システムにおいて、前記台数制御装置３には前記優先順位とは別に各ボイラの燃焼を制御するための順位である制御順位を設定しており、制御順位の設定数は優先順位の設定数よりも少ない値とし、制御順位の高いものには一つの制御順位に複数のボイラを割り当てておき、台数制御装置は、検出した蒸気圧力値に基づいて燃焼の必要な制御順位を決定し、該当するボイラを燃焼させる制御を行う。【選択図】図１
2006052885.tif 000002
【特許請求の範囲】
【請求項１】
並列に設置しておりそれぞれに燃焼の優先順位を設定している複数台のボイラ、前記複数台のボイラで発生した蒸気を集合させている蒸気集合部における蒸気圧力値を検出する圧力検出装置、検出した蒸気圧力値に基づいて各ボイラの燃焼を制御する台数制御装置を備えているボイラの多缶設置システムにおいて、
前記台数制御装置には前記優先順位とは別に各ボイラの燃焼を制御するための順位である制御順位を設定しており、制御順位の設定数は優先順位の設定数よりも少ない値とし、制御順位の高いものには一つの制御順位に複数のボイラを割り当てておき、台数制御装置は、検出した蒸気圧力値に基づいて燃焼の必要な制御順位を決定し、該当するボイラを燃焼させる制御を行うことを特徴とする制御順位の設定を行うボイラの多缶設置システム。
【請求項２】
請求項１に記載の制御順位の設定を行うボイラの多缶設置システムにおいて、ボイラの優先順位から制御順位を割り当てる場合、まず、優先順位数から制御順位数を減算した値Ａと、前記値Ａを２倍した値Ｂを算出しておき、
次に、ボイラごとに定まっている優先順位の値と前記値Ｂをそれぞれ比較し、
優先順位の値が前記値Ｂ以下であれば、『（優先順位＋１）／２』の値から小数点以下を切り捨てた値、又は『優先順位／２』の値から小数点以下を繰り上げた値をそのボイラの制御順位とし、
優先順位の値が前記値Ｂより大であれば、『優先順位−値Ａ』の値をそのボイラにおける制御順位とする第一計算プログラムを台数制御装置に設定したことを特徴とする制御順位の設定を行うボイラの多缶設置システム。
【請求項３】
請求項１に記載の制御順位の設定を行うボイラの多缶設置システムにおいて、ボイラの優先順位から制御順位を割り当てる場合、まず、優先順位数を制御順位数で割ることで整数の商と余りを算出し、前記商に１を加算した値を「大組の構成数：Ｃ」、前記余りの値を「大組の組数：Ｄ」としておき、
次に、ボイラごとに定まっている優先順位の値を、『「大組の構成数：Ｃ」×「大組の組数：Ｄ」』で算出することができる「大組のボイラ総数：Ｅ」とそれぞれ比較し、
優先順位の値が前記「大組のボイラ総数：Ｅ」以下であれば、『優先順位／「大組の構成数：Ｃ」』の値から小数点以下を繰り上げた値をそのボイラの制御順位とし、
優先順位の値が前記「大組のボイラ総数：Ｅ」より大であれば、『（優先順位−「大組のボイラ総数：Ｅ」）／（「大組の構成数：Ｃ」−１）＋「大組の組数：Ｄ」』の値から小数点以下を繰り上げた値をそのボイラの制御順位とする第二計算プログラムを台数制御装置に設定したことを特徴とする制御順位の設定を行うボイラの多缶設置システム。
【請求項４】
請求項１に記載の制御順位の設定を行うボイラの多缶設置システムにおいて、ボイラの優先順位から制御順位を割り当てる場合、まず、優先順位数を制御順位数で割ることで整数の商と余りを算出し、前記商を「小組の構成数：Ｃ'」、前記余りの値を「大組の組数：Ｄ」としておき、
次に、ボイラごとに定まっている優先順位の値を、『（「小組の構成数：Ｃ'」＋１）×「大組の組数：Ｄ」』で算出することができる「大組のボイラ総数：Ｅ」とそれぞれ比較し、
優先順位の値が前記「大組のボイラ総数：Ｅ」以下であれば、『優先順位／（「小組の構成数：Ｃ'」＋１）』の値から小数点以下を繰り上げた値をそのボイラの制御順位とし、
優先順位の値が前記「大組のボイラ総数：Ｅ」より大であれば、『（優先順位−「大組のボイラ総数：Ｅ」）／「小組の構成数：Ｃ'」＋「大組の組数：Ｄ」』の値から小数点以下を繰り上げた値をそのボイラの制御順位とする第三計算プログラムを台数制御装置に設定したことを特徴とする制御順位の設定を行うボイラの多缶設置システム。
【発明の詳細な説明】
【技術分野】
【０００１】
本発明は制御順位の設定を行うボイラの多缶設置システムに関するものである。
【背景技術】
【０００２】
ボイラを複数台設置し、個々のボイラの燃焼状態を調節することでボイラ全体での蒸気供給量を制御する蒸気ボイラの多缶設置システムが知られている。この場合、各ボイラで発生した蒸気をスチームヘッダに集合させて蒸気使用部へ供給しており、蒸気集合部に圧力検出装置を設けておき、圧力検出装置によって検出した蒸気圧力値に基づいて各ボイラの燃焼状態を定める台数制御を行う。台数制御では、蒸気圧力の制御範囲内を複数の圧力区分に分割し、圧力区分ごとにボイラの燃焼状態を定めた燃焼パターンを設定しておく。
【０００３】
圧力区分は一定の幅で定めておき、蒸気圧力値が高圧側の圧力区分に移るほどボイラの燃焼量を少なくし、逆に低圧側の圧力区分に移るほどボイラの燃焼量を多くするように設定しておく。台数制御装置は蒸気集合部で検出した蒸気圧力値がどの圧力区分に該当するかによって各ボイラの燃焼状態を定め、各ボイラに対して制御指令を送ることでボイラ全体での蒸気発生量を制御する。
【０００４】
上記台数制御を行っている場合、ボイラの設置台数が多くなると、蒸気圧力制御範囲を分割する圧力区分数が多くなり、１つの圧力区分に割り当てられる圧力幅が狭くなる。この場合、わずかの圧力変動で燃焼台数の変更が行われることになるため、短時間でボイラの発停を繰り返すハンチングを起こしやすくなる。燃焼の発停を頻繁に繰り返していると、蒸気供給の安定性が悪化したり、ボイラの効率が低下することになり、さらに発停回数が多くなることにより機器の寿命が短くなるという問題がある。
【０００５】
そのため、特開２００４−２００４１号記載の発明において、燃焼必要台数が少ない場合には台数制御の対象とするボイラの台数を少なくし、圧力区分を広くする制御が提案されている。この発明により、燃焼必要台数が少ない場合には圧力区分を広くすることができるため、燃焼の発停頻度を抑えることができるが、燃焼必要台数が多い場合には燃焼の発停頻度を抑えることができなかった。また、特開２００４−２００４１号に記載している発明の場合、運転の途中で燃焼パターンの変更を行っているため、この時に大きな燃焼量変化が発生するという問題もあった。
【０００６】
【特許文献１】特開２００４−２００４１号公報
【発明の開示】
【発明が解決しようとする課題】
【０００７】
本発明が解決しようとする課題は、ハンチングの発生を防止し、安定した台数制御を行うことにある。
【課題を解決するための手段】
【０００８】
請求項１に記載の発明は、並列に設置しておりそれぞれに燃焼の優先順位を設定している複数台のボイラ、前記複数台のボイラで発生した蒸気を集合させている蒸気集合部における蒸気圧力値を検出する圧力検出装置、検出した蒸気圧力値に基づいて各ボイラの燃焼を制御する台数制御装置を備えているボイラの多缶設置システムにおいて、前記台数制御装置には前記優先順位とは別に各ボイラの燃焼を制御するための順位である制御順位を設定しており、制御順位の設定数は優先順位の設定数よりも少ない値とし、制御順位の高いものには一つの制御順位に複数のボイラを割り当てておき、台数制御装置は、検出した蒸気圧力値に基づいて燃焼の必要な制御順位を決定し、該当するボイラを燃焼させる制御を行うことを特徴とする。
【０００９】
請求項２に記載の発明は、前記の制御順位の設定を行うボイラの多缶設置システムにおいて、ボイラの優先順位から制御順位を割り当てる場合、まず、優先順位数から制御順位数を減算した値Ａと、前記値Ａを２倍した値Ｂを算出しておき、次に、ボイラごとに定まっている優先順位の値と前記値Ｂをそれぞれ比較し、優先順位の値が前記値Ｂ以下であれば、『（優先順位＋１）／２』の値から小数点以下を切り捨てた値、又は『優先順位／２』の値から小数点以下を繰り上げた値をそのボイラの制御順位とし、優先順位の値が前記値Ｂより大であれば、『優先順位−値Ａ』の値をそのボイラにおける制御順位とする第一計算プログラムを台数制御装置に設定したことを特徴とする。
【００１０】
請求項３に記載の発明は、前記の制御順位の設定を行うボイラの多缶設置システムにおいて、ボイラの優先順位から制御順位を割り当てる場合、まず、優先順位数を制御順位数で割ることで整数の商と余りを算出し、前記商に１を加算した値を「大組の構成数：Ｃ」、前記余りの値を「大組の組数：Ｄ」としておき、
次に、ボイラごとに定まっている優先順位の値を、『「大組の構成数：Ｃ」×「大組の組数：Ｄ」』で算出することができる「大組のボイラ総数：Ｅ」とそれぞれ比較し、
優先順位の値が前記「大組のボイラ総数：Ｅ」以下であれば、『優先順位／「大組の構成数：Ｃ」』の値から小数点以下を繰り上げた値をそのボイラの制御順位とし、
優先順位の値が前記「大組のボイラ総数：Ｅ」より大であれば、『（優先順位−「大組のボイラ総数：Ｅ」）／（「大組の構成数：Ｃ」−１）＋「大組の組数：Ｄ」』の値から小数点以下を繰り上げた値をそのボイラの制御順位とする第二計算プログラムを台数制御装置に設定したことを特徴とする。
【００１１】
請求項４に記載の発明は、前記の制御順位の設定を行うボイラの多缶設置システムにおいて、ボイラの優先順位から制御順位を割り当てる場合、まず、優先順位数を制御順位数で割ることで整数の商と余りを算出し、前記商を「小組の構成数：Ｃ'」、前記余りの値を「大組の組数：Ｄ」としておき、
次に、ボイラごとに定まっている優先順位の値を、『（「小組の構成数：Ｃ'」＋１）×「大組の組数：Ｄ」』で算出することができる「大組のボイラ総数：Ｅ」とそれぞれ比較し、
優先順位の値が前記「大組のボイラ総数：Ｅ」以下であれば、『優先順位／（「小組の構成数：Ｃ'」＋１）』の値から小数点以下を繰り上げた値をそのボイラの制御順位とし、
優先順位の値が前記「大組のボイラ総数：Ｅ」より大であれば、『（優先順位−「大組のボイラ総数：Ｅ」）／「小組の構成数：Ｃ'」＋「大組の組数：Ｄ」』の値から小数点以下を繰り上げた値をそのボイラの制御順位とする第三計算プログラムを台数制御装置に設定したことを特徴とする。
【発明の効果】
【００１２】
本発明を実施することで、１つの圧力区分に割り当てられる圧力幅が狭くなりすぎることを防止でき、所定の圧力幅を確保することができるため、ハンチングの発生を防止することができる。また、ボイラ設置台数を変更した場合でも、制御順位を容易に設定することができる。
【発明を実施するための最良の形態】
【００１３】
本発明の一実施例を図面を用いて説明する。図１は本発明を実施する多缶設置ボイラシステムのフロー図、図２は優先順位から制御順位を算出する第一計算プログラムの説明図、図３は優先順位から制御順位を算出する第二計算プログラムの説明図、図４は優先順位から制御順位を算出する第三計算プログラムの説明図である。
【００１４】
図１では１１台のボイラ１を並列に設置しており、各ボイラ１で発生させた蒸気を集合させるスチームヘッダ４を設けている。ボイラ１とスチームヘッダ４の間を蒸気配管５で結んでおき、各ボイラ１で発生させた蒸気はスチームヘッダ４に集合させた後で蒸気使用部（図示せず）へ送る。スチームヘッダ４には、蒸気圧力値を検出する圧力検出装置６を設け、圧力検出装置６で検出した蒸気圧力値は台数制御装置３へ送る。台数制御装置３には、蒸気圧力値に応じてボイラの燃焼台数を定めている燃焼パターンを設定しておき、台数制御装置３によって各ボイラにおける燃焼の有無を決定する。各ボイラには、それぞれに運転制御装置２を設けており、運転制御装置２は台数制御装置３からの燃焼要求信号を受けてボイラの燃焼を行う。
【００１５】
台数制御装置３にて行うボイラの台数制御は、台数制御装置３に設定している燃焼パターンに基づいて行い、圧力検出装置６で検出した蒸気圧力値が低いほどボイラの燃焼台数を多くし、蒸気圧力値が高いほど燃焼台数を少なくする。蒸気の発生量が蒸気の使用量より大きい場合には蒸気圧力は上昇し、蒸気の発生量が蒸気の使用量より小さい場合には蒸気圧力は低下することとなるため、台数制御装置３は蒸気圧力値を制御圧力幅内に保つようにボイラの燃焼台数を制御する。
【００１６】
台数制御装置３には、各ボイラ１に対して優先順位と制御順位を設定しておく。優先順位の設定は、各ボイラの稼働を均一化するためのものであり、積算稼働時間の短い順などでボイラごとに異なる順位を割り当てる。本実施例ではボイラを１１台設置しているため、優先順位は第１位から第１１位までとなる。各ボイラに設定している優先順位は、ローテーションによって定期的に変更しており、各ボイラの持っている優先順位はその時点のものであって、優先順位のローテーションが行われると順位は変更される。
【００１７】
制御順位の設定は、燃焼を行うボイラを特定するためのものであり、蒸気圧力値に基づき、第何位までのボイラを燃焼させるかを決定する際の順位に関するものである。制御順位の設定数はボイラの設置台数よりも少なく設定する。本実施例では制御順位数を１０としており、１１台のボイラに対して第１位から第１０位まで割り当てる。制御順位は優先順位の高いものから順に設定するが、制御順位は第１位から第１０位までの１０段階であり、ボイラ設置台数は１１台であるため、制御順位決定のルールを定めておく必要がある。
【００１８】
第１位から第１１位の優先順位を持っているボイラについて、第１位から第１０位までである制御順位を割り付ける場合を例に説明する。台数制御装置３には、下記に示す優先順位から制御順位を算出する計算プログラムを入力しておき、各ボイラの優先順位ごとに制御順位を決定する。
【００１９】
まず優先順位数が制御順位数の２倍までの場合に適用できる第一計算プログラムについて説明する。第一計算プログラムは、優先順位数が制御順位数の２倍を超える場合には適用できないが、優先順位数が制御順位数の２倍を超えるケースは多くないため、大多数の多缶設置システムでは適用することができる。
【００２０】
第一計算プログラムによる制御順位決定は、最初に値Ａと値Ｂを求めておく。値Ａは優先順位数から制御順位数を引いたもの、値Ｂは値Ａを２倍としたものである。本実施例では、優先順位数は１１、制御順位数は１０であるため、値Ａ＝１１−１０＝１となり、値Ｂ＝１×２＝２となる。優先順位数よりも少ない制御順位数にボイラを割り当てる場合、１つの制御順位に割り当てるボイラ数が多くなる「大組」と、１つの制御順位に割り当てるボイラ数が少なくなる「小組」ができる。値Ａは「大組の組数」を示し、値Ｂは「大組のボイラ総数」を示すことになる。
【００２１】
次に、各優先順位の値と値Ｂを比較し、優先順位が値Ｂ以下であるか、優先順位が値Ｂを超えるかを判定して、それぞれに対応する算出式に優先順位の値を代入することで優先順位ごとに制御順位を決定する。優先順位の値が値Ｂ以下であった場合、『制御順位＝（優先順位＋１）／２』の式に優先順位の値を代入し、小数点以下を切り捨てた値が制御順位となる。なお、優先順位の値が値Ｂ以下の場合、『制御順位＝優先順位／２』の式に優先順位の値を代入し、小数点以下を繰り上げても前記と同じ値になるため、どちらを使用してもよい。また、優先順位が値Ｂを超える場合、『制御順位＝優先順位−値Ａ』の式に優先順位の値を代入して制御順位を求める。
【００２２】
本実施例では値Ｂが２であるため、優先順位が値Ｂ以下となるのは、優先順位が第１位のボイラと第２位のボイラであり、この場合『制御順位＝（優先順位＋１）／２』の式を使用することになる。優先順位第１位のボイラでは『制御順位＝（１＋１）／２＝１』であるため制御順位は第１位、優先順位第２位のボイラでは『制御順位＝（２＋１）／２＝１．５』であり、小数点以下は切り捨てるため制御順位は第１位となる。
【００２３】
また、優先順位が第３位から第１１位のボイラでは優先順位が値Ｂより大きいため、『制御順位＝優先順位−値Ａ』の式を使用することになる。優先順位第３位のボイラでは『制御順位＝３−１＝２』であるため制御順位は第２位、同様に優先順位４位から第１１位のボイラにおける制御順位はそれぞれ第３位から第１０位となる。この場合の優先順位と制御順位の関係は図２下段に記載の通りとなり、台数制御装置３は制御順位の第１位には優先順位の第１位と第２位の２台のボイラを割り当て、制御順位第２位から第１０位には優先順位の第３位から第１１位のボイラを１台ずつ割り当てる。
【００２４】
台数制御装置３は、蒸気圧力値に基づいて燃焼を行う制御順位を定め、該当するボイラを燃焼させる台数制御を行う。制御順位第１位のボイラを燃焼する必要があるという場合は、優先順位の第１位と第２位のボイラに対して燃焼指示を行う。同様に制御順位が第２位までのボイラを燃焼する必要がある場合は、優先順位の第１位から第３位のボイラに対して燃焼指示を行うことになる。
【００２５】
従来の場合、ボイラの設置台数が多くなり、制御順位数が多くなって圧力区分数が多くなると、各圧力区分の幅が小さくなるため、わずかの圧力変動でもボイラの燃焼量を変更しなければならなかった。しかし、制御順位数に上限を設けて圧力区分数を少なくすることで、各圧力区分の幅を確保することができるため、短時間で燃焼の発停を繰り返すハンチングの発生を抑えることができる。
【００２６】
次に第二計算プログラムについて説明する。前記の第一計算式プログラムは、簡易な計算によって制御順位を算出することができるものであるが、優先順位数が制御順位数の２倍を超えた場合には適用できない。そのため、優先順位数が制御順位数の２倍を超える場合には第二計算プログラムを使用する。
【００２７】
第二計算プログラムによる制御順位決定では、まず値Ｃ、値Ｄ、値Ｅを求める。値Ｃ、値Ｄ、値Ｅを求める場合、最初に優先順位数を制御順位数で割ることにより、商（整数）と余りを算出しておく。値Ｃは優先順位数を制御順位数で割った商（整数）に１を加えた値、値Ｄは優先順位数を制御順位数で割った際の余りの値であり、値Ｅは前記の値Ｃと値Ｄを掛け合わせた値である。本実施例では優先順位数を１１、制御順位数を１０としているため、１１／１０＝１・・・１より、値Ｃ＝１＋１＝２、値Ｄ＝１、値Ｅ＝２×１＝２となる。優先順位数よりも少ない制御順位数にボイラを割り当てる場合、１つの制御順位に割り当てるボイラ数が多くなる「大組」と、１つの制御順位に割り当てるボイラ数が少なくなる「小組」ができる。値Ｃは「大組の構成数」、値Ｄは「大組の組数」、値Ｅは「大組のボイラ総数」を示すことになる。
【００２８】
次に、各優先順位の値と値Ｅを比較し、優先順位が値Ｅ以下であるか、優先順位が値Ｅを超えるかを判定して、それぞれに対応する算出式に優先順位の値を代入することで優先順位ごとに制御順位を決定する。優先順位の値が値Ｅ以下であった場合、『制御順位＝優先順位／値Ｃ』の式に優先順位の値を代入し、小数点以下を繰り上げた値が制御順位となる。また、優先順位が値Ｅを超える場合、『制御順位＝（優先順位−値Ｅ）／（値Ｃ−１）＋値Ｄ』の式に優先順位の値を代入し、小数点以下を繰り上げた値が制御順位となる。
【００２９】
本実施例では、値Ｅが２であるため、優先順位が値Ｅ以下となるのは、優先順位が第１位のボイラと第２位のボイラであり、この場合『制御順位＝優先順位／値Ｃ』を使用することになる。優先順位第１位のボイラでは『制御順位＝１／２＝０．５』であり、小数点以下は繰上げであるため制御順位は第１位、優先順位第２位のボイラでは『制御順位＝１／２＝１』であるため制御順位は第１位となる。また、優先順位が第３位から第１１位のボイラでは優先順位が値Ｅより大きいため、『制御順位＝（優先順位−値Ｅ）／（値Ｃ−１）＋値Ｄ』を使用することになる。優先順位第３位のボイラでは『制御順位＝（３−２）／１＋１＝２』であるため制御順位は第２位、同様に優先順位４位から第１１位のボイラにおける制御順位はそれぞれ第３位から第１０位となる。
【００３０】
この場合の優先順位と制御順位の関係は図３下段に記載の通りとなり、台数制御装置３は制御順位の第１位には優先順位の第１位と第２位の２台のボイラを割り当て、制御順位第２位から第１０位には優先順位の第３位から第１１位のボイラを１台ずつ割り当てる。
【００３１】
次に第三計算プログラムについて説明する。第二計算プログラムでは、優先順位数を制御順位数で割った商（整数）に１を加えた値である「大組の構成数」を値Ｃとして制御順位を算出するようにしているが、優先順位数を制御順位数で割った商（整数）である「小組の構成数」に基づいて制御順位を算出することもできる。第三計算プログラムは「大組の構成数」に基づく計算から「小組の構成数」に基づく計算に変更したものであり、基本的な構成は第二計算プログラムと同じである。
【００３２】
第三計算プログラムによる制御順位決定では、まず値Ｃ'、値Ｄ、値Ｅを求める。値Ｃ'、値Ｄ、値Ｅを求める場合も、第二計算プログラムと同様に優先順位数を制御順位数で割ることにより、商（整数）と余りを算出しておく。値Ｃ'は優先順位数を制御順位数で割った商（整数）そのままの値、値Ｄは優先順位数を制御順位数で割った際の余りの値であり、値Ｅは前記の値Ｃ'＋１と値Ｄを掛け合わせた値である。本実施例では優先順位数を１１、制御順位数を１０としているため、１１／１０＝１・・・１より、値Ｃ＝１、値Ｄ＝１、値Ｅ＝（１＋１）×１＝２となる。第二計算プログラムと異なるのは、値Ｃ'が「小組の構成数」であるという点であり、「大組の組数」である値Ｄ、「大組のボイラ総数」である値Ｅは同じである。
【００３３】
次に、各優先順位の値と値Ｅを比較し、優先順位が値Ｅ以下であるか、優先順位が値Ｅを超えるかを判定して、それぞれに対応する算出式に優先順位の値を代入することで優先順位ごとに制御順位を決定する。優先順位の値が値Ｅ以下であった場合、『制御順位＝優先順位／（値Ｃ'＋１）』の式に優先順位の値を代入し、小数点以下を繰り上げた値が制御順位となる。また、優先順位が値Ｅを超える場合、『制御順位＝（優先順位−値Ｅ）／値Ｃ'＋値Ｄ』の式に優先順位の値を代入し、小数点以下を繰り上げた値が制御順位となる。
【００３４】
「大組の構成数」である値Ｃは「小組の構成数」である値Ｃ'に１を加算したものであり、第二計算プログラムと第三計算プログラムでは１を加算する場所を変えただけであるため、最終的に両者は同じ値で計算を行うことになる。そのため、優先順位から決まる制御順位は第二計算プログラムと第三計算プログラムで同じになる。
【００３５】
台数制御装置３へは、将来的にも優先順位数が制御順位数の２倍を超えることがないという場合には第一計算プログラムから第三計算プログラムのいずれかのプログラムを入力しておき、優先順位数が制御順位数の２倍を超えている又は将来的には超えることがあるという場合には第二計算プログラム又は第三計算プログラムを入力しておく。優先順位は定期的なローテーションで随時変更されるため、台数制御装置３は優先順位の変更があるごとに入力している前記計算プログラムを用いて制御順位の割当てを行う。
【図面の簡単な説明】
【００３６】
【図１】本発明を実施する多缶設置ボイラシステムのフロー図
【図２】優先順位から制御順位を算出する第一計算プログラムの説明図
【図３】優先順位から制御順位を算出する第二計算プログラムの説明図
【図４】優先順位から制御順位を算出する第三計算プログラムの説明図
【符号の説明】
【００３７】
１  ボイラ      
２  運転制御装置      
３  台数制御装置        
４  スチームヘッダ      
５  蒸気配管            
６  圧力検出装置        
【図１】
2006052885.tif 000003
【図２】
2006052885.tif 000004
【図３】
2006052885.tif 000005
【図４】
2006052885.tif 000006